(57)【要約】【課題】移動局が元に接続していたネットワーク内において、他の移動局が前記移動局にデータ送受信を行う場合、データ送受信が行えない状態を最小限にすることができ、また、通信スループットの向上を図ることができる。【解決手段】基地局と移動局を形成する通信システムであって基地局は移動局と通信接続する手段と移動局に基地局接続情報を送信する手段と移動局に送信データの終了を通知する手段とを備え、移動局は基地局と通信接続する手段と複数の基地局を認識する手段と複数の基地局へと通信先を変更する手段と直前の接続先の基地局に再接続するのに必要な基地局接続情報を受信する手段と前記基地局接続情報を記憶する手段と前記基地局接続情報を優先して選択する手段と基地局からの送信データ終了を検知する手段と送信データ終了を検知すると前記基地局接続情報を用いて前記基地局に再接続する手段と、を備えることを特徴とする通信システム。【選択図】        図１
2006173708.tif 000002
【特許請求の範囲】
【請求項１】
基地局と移動局を形成する通信システムであって、
基地局は移動局と通信接続する手段と、移動局に基地局接続情報を送信する手段と、移動局に送信データの終了を通知する手段と、を備え、
移動局は基地局と通信接続する手段と、複数の基地局を認識する手段と、複数の基地局へと通信先を変更する手段と、直前の接続先の基地局に再接続するのに必要な基地局接続情報を受信する手段と、前記基地局接続情報を記憶する手段と、前記基地局接続情報を優先して選択する手段と、基地局からの送信データ終了を検知する手段と、送信データ終了を検知すると前記基地局接続情報を用いて前記基地局に再接続する手段と、
を備えることを特徴とする通信システム。
【請求項２】
基地局と移動局を形成する通信システムであって、
基地局は移動局と通信接続する手段と、移動局に基地局接続情報を送信する手段と、を備え、
移動局は基地局と移動局と通信接続する手段と、複数の基地局と移動局を認識する手段と、複数の基地局と移動局へと通信先を変更する手段と、直前の接続先の基地局に再接続するのに必要な基地局接続情報を受信する手段と、前記基地局接続情報を記憶する手段と、前記基地局接続情報を優先して選択する手段と、移動局に送信データの終了を通知する手段と、移動局からの送信データ終了を検知する手段と、送信データ終了を検知すると前記基地局接続情報を用いて前記基地局に再接続する手段と、
を備えることを特徴とする通信システム。
【請求項３】
移動局同士が形成する通信システムであって、
移動局は移動局と通信接続する手段と、移動局に移動局接続情報を送信する手段と、複数の移動局を認識する手段と、複数の移動局へと通信先を変更する手段と、直前の接続先の移動局に再接続するのに必要な移動局接続情報を受信する手段と、前記移動局接続情報を記憶する手段と、前記移動局接続情報を優先して選択する手段と、移動局に送信データの終了を通知する手段と、移動局からの送信データ終了を検知する手段と、送信データ終了を検知すると前記移動局接続情報を用いて前記移動局に再接続する手段と、
を備えることを特徴とする通信システム。
【発明の詳細な説明】
【技術分野】
【０００１】
本発明は、複数の通信装置を設け、通信可能領域にある通信装置同士で無線通信を行う無線ＬＡＮシステムに係る通信システムに関する。
【背景技術】
【０００２】
従来、ＩＥＥＥ８０２．１１規格を用いた無線ＬＡＮシステムにおいて、インフラストラクチャモードにおいて、アクセスポイント（ＡＰ）が基地局となり、ステーション（ＳＴＡ）が移動局となる構成をとっている。ＡＰはＢＳＳ（Ｂａｓｉｃ  Ｓｅｒｖｉｃｅ  Ｓｅｔ）を形成することで論理的に他のＢＳＳと分離することができる。ＳＴＡはＢＳＳから他のＢＳＳへ移動する場合、基地局を通じて通信を行うために通信先のＡＰを切り換えるハンドオーバを行う必要がある。ハンドオーバの方式は、例えば特許文献１等で示されるように、ＲＳＳＩ（受信電界強度）の強いＡＰへ通信を切り換える方式が開示されている。
【０００３】
また、ＩＥＥＥ８０２．１１規格を用いた無線ＬＡＮシステムは、ＳＴＡ同士が通信を行うアドホックモードも備えており、ＳＴＡ同士がＳＳ−ＩＤ（Ｓｅｒｖｉｃｅ  Ｓｅｔ  ＩＤ）を交換することでＩＢＳＳ（Ｉｎｄｅｐｅｎｄｅｎｔ  ＢＳＳ）を形成することができる。この場合あるＳＴＡがＢＳＳ／ＩＢＳＳを形成しているときに別のＳＴＡとアドホックモードを用いた通信を行う場合、インフラストラクチャモードと同様にＲＳＳＩの強弱によってハンドオーバ先のＳＴＡを決定することができる。
【特許文献１】特開２０００−１８８５８７号公報
【発明の開示】
【発明が解決しようとする課題】
【０００４】
無線ＬＡＮはそのシステム構成の簡単さから、従来基地局は大型であったものが小型化でき、ＡＰもＳＴＡ同様に移動することができるようになってきた。例えば、あるＳＴＡが位置的に固定され、その他のＡＰ、ＳＴＡが移動することも考えられる。
【０００５】
図１に示すように、ＡＰ１がＢＳＳ１を構成し、ＳＴＡ１がその移動局である場合、ＡＰ２が現れるとＳＴＡ１はＡＰ２へハンドオーバしてＢＳＳ２を形成することができるが、ＳＴＡ１がＢＳＳ１内の他のＳＴＡに知られることなく他のネットワークに所属してしまい、例えばＳＴＡ２からＳＴＡ１へデータを送受信できなくなってしまうという問題があった。
【０００６】
また、アドホックモードの場合、例えば図９に示すように、ＡＰ１がＢＳＳ１を構成し、ＳＴＡ１がその移動局である場合、ＳＴＡ３が現れるとＳＴＡ１はＳＴＡ３とＩＢＳＳ１を形成することができるが、ＳＴＡ１とＳＴＡ３の接続をしたままであるとＢＳＳ１内のＳＴＡ２からＳＴＡ１へデータを送受信する場合にデータ送受信のスループットが低下してしまうという問題があった。
【０００７】
本発明の目的は、ＳＴＡがハンドオーバ前にインフラストラクチャモードで接続されていた場合において、元々ＳＴＡが所属していたＢＳＳにおける他のＳＴＡが前記ＳＴＡと通信する場合に通信が切断されたままであることを回避し、通信スループットの低下を避けることである。また、ＳＴＡがハンドオーバ前にアドホックモードにおいて、接続されていた場合において、元々所属していたＩＢＳＳ内における他のＳＴＡ間でのデータ送受信スループットの低下を避ける事が目的である。
【課題を解決するための手段】
【０００８】
上記課題を解決するために、本発明の無線ＬＡＮシステムは、一つ以上の移動局と一つ以上の基地局で構成され、ハンドオーバする移動局はハンドオーバ前に接続していた基地局／移動局へ接続するのに必要な接続情報を記憶する手段を有し、ハンドオーバ先の基地局／移動局からのデータ受信の終了を検知すると前記の接続情報を用いて元々接続していた基地局／移動局へ再接続を行う。
【０００９】
これにより、移動局が元に接続していたネットワーク内において、他の移動局が前記移動局にデータ送受信を行う場合、データ送受信が行えない状態を最小限にすることができ、通信スループットの向上を図ることができる。
【００１０】
すなわち、本発明の技術内容は以下の構成を備えることにより前記課題を解決できた。
【００１１】
（１）基地局と移動局を形成する通信システムであって、
基地局は移動局と通信接続する手段と、移動局に基地局接続情報を送信する手段と、移動局に送信データの終了を通知する手段と、を備え、
移動局は基地局と通信接続する手段と、複数の基地局を認識する手段と、複数の基地局へと通信先を変更する手段と、直前の接続先の基地局に再接続するのに必要な基地局接続情報を受信する手段と、前記基地局接続情報を記憶する手段と、前記基地局接続情報を優先して選択する手段と、基地局からの送信データ終了を検知する手段と、送信データ終了を検知すると前記基地局接続情報を用いて前記基地局に再接続する手段と、
を備えることを特徴とする通信システム。
【発明の効果】
【００１２】
本発明によれば、移動局が元に接続していたネットワーク内において、他の移動局が前記移動局にデータ送受信を行う場合、データ送受信が行えない状態を最小限にすることができ、また、通信スループットの向上を図ることができる。
【発明を実施するための最良の形態】
【００１３】
以下本発明を実施するための最良の形態を、実施例により詳しく説明する。
【実施例】
【００１４】
（第一の実施例）
本実施例はＩＥＥＥ８０２．１１規格の無線ＬＡＮ（Ｌｏｃａｌ  Ａｒｅａ  Ｎｅｔｗｏｒｋ）について述べる。
【００１５】
図１に本発明のシステム構成を示す。アクセスポイント（ＡＰ）はＢａｓｉｃ  Ｓｅｒｖｉｃｅ  Ｓｅｔ（ＢＳＳ）を構成し、ＡＰ１（１１００）はＢＳＳ１（１００）を構成する。ＡＰは複数のＳｔａｔｉｏｎ（ＳＴＡ）と無線通信接続を行うことができる。ＡＰ１はＢＳＳ１内にあるＳＴＡ１（２１００）とＳＴＡ２（２２００）とインフラストラクチャモードで無線通信接続している。
【００１６】
本実施例において、ＳＴＡ１は無線ＬＡＮ機能を持つプリンタである。このようなＢＳＳ１が存在する場所にアクセスポイント機能を有するデジタルカメラＡＰ２（１２００）がＢＳＳ１に接近して来て、ＳＴＡ１はＡＰ２を認識するとＡＰ１との接続を一旦切断し、ＳＴＡ１はＡＰ２からのデータ受信を終えた後にＡＰ１へ再接続する。
【００１７】
次に各機器の構成について説明する。図２はＡＰ１の構成例を示すブロック図である。ＡＰ１は少なくとも、ＡＰを制御するためのＣＰＵ（中央演算処理装置１１０１）と、ＡＰを動作させるためのプログラムを格納するＲＯＭ（１１０５）と、プログラムを展開するためのＲＡＭ（１１０４）と、無線ＬＡＮカード（１１１０）と、当該無線ＬＡＮカード（１１１０）のインターフェイス制御部（１１０７）とを有する。ＡＰ１は大容量記憶装置としてＨａｒｄ  Ｄｉｓｋ  Ｄｒｉｖｅ（ＨＤＤ、１１０６）と、基幹ネットワークに接続するためのＥｔｈｅｒネット接続装置（１１０８）を有する構成をとることもできる。無線ＬＡＮカード（１１１０）は送受信アンテナ（１１１１）と、搬送波信号を送受信する送受信部（１１１２）と、データ信号をベースバンド信号に変換する変復調部と（１１１３）、変復調部（１１１３）からのデータ信号と、データをパケット形式に変換する無線ＬＡＮカード制御部（１１１４）とを有する。
【００１８】
図３はＡＰ２の構成例を示すブロック図である。ＡＰ２は少なくとも、ＡＰを制御するためのＣＰＵ（中央演算処理装置１２０１）と、画像入力のための入力装置（１２０２）と、ＡＰを動作させるためのプログラムを格納するＲＯＭ（１２０５）と、プログラムを展開するためのＲＡＭ（１２０４）と、無線ＬＡＮカード（１２１０）と、当該無線ＬＡＮカード（１２１０）のインターフェイス制御部（１２０７）とを有する。無線ＬＡＮカード（１２１０）は送受信アンテナ（１２１１）と、搬送波信号を送受信する送受信部（１２１２）と、データ信号をベースバンド信号に変換する変復調部と（１２１３）、変復調部（１２１３）からのデータ信号と、データをパケット形式に変換する無線ＬＡＮカード制御部（１２１４）とを有する。
【００１９】
図４はＳＴＡ１の構成例を示すブロック図である。ＡＰ１は少なくとも、ＡＰを制御するためのＣＰＵ（中央演算処理装置２１０１）と、ＡＰを動作させるためのプログラムを格納するＲＯＭ（２１０５）と、プログラムを展開するためのＲＡＭ（２１０４）と、無線ＬＡＮカード（２１１０）と、当該無線ＬＡＮカード（２１１０）のインターフェイス制御部（２１０７）と、印刷装置（２１２０）と、を有する。無線ＬＡＮカード（２１１０）は送受信アンテナ（２１１１）と、搬送波信号を送受信する送受信部（２１１２）と、データ信号をベースバンド信号に変換する変復調部と（２１１３）、変復調部（２１１３）からのデータ信号と、データをパケット形式に変換する無線ＬＡＮカード制御部（２１１４）とを有する。
【００２０】
次にＳＴＡ１がＡＰ１へ再接続する手順について詳細に説明する。図５にシーケンスチャートを示す。
【００２１】
先ず、ＳＴＡ１はＡＰ１に接続する際に、Ｓ１００にて認証要求をＡＰ１に対して行い、Ｓ１０１において、ＡＰ１はＳＴＡ１に認証応答を行い、Ｓ１０２において、ＳＴＡ１はＡＰ１にアソシエーション要求を行い、Ｓ１０３において、ＡＰ１はＳＴＡ１にアソシエーション応答を返し、ここまでの手順でＳＴＡ１はＡＰ１のＢＳＳ１内において、通信可能な状態となる。ＡＰ２がＳＴＡ１に接近すると、ＳＴＡ１は受信電界強度（ＲＳＳＩ）がある一定レベル以上のものを検知する（Ｓ１０４）。検知した受信信号がＳＴＡ１に登録されている特定のＩＤを持つ場合には、Ｓ１０５において、ＳＴＡ１はＡＰ１との接続を切断する。ＳＴＡ１がＡＰ２と接続するにはＳ１００−Ｓ１０３同様、Ｓ１０６にて認証要求をＡＰ２に対して行い、Ｓ１０７において、ＡＰ２はＳＴＡ１に認証応答を行い、Ｓ１０８において、ＳＴＡ１はＡＰ２にアソシエーション要求を行い、Ｓ１０９において、ＡＰ２はＳＴＡ１にアソシエーション応答を返し、ここまでの手順でＳＴＡ１は新たに形成されたＡＰ２のＢＳＳ２内において、通信可能な状態となる。ＡＰ２がＳＴＡ１へ印刷データを送信する場合、データ送信の前にＢＳＳ１のトラフィックとＢＳＳ２のトラフィックが衝突するのを避けるため、ＲＴＳ（Ｒｅｑｕｅｓｔ  Ｔｏ  Ｓｅｎｄ）コマンドとＣＴＳ（Ｃｌｅａｒ  Ｔｏ  Ｓｅｎｄ）コマンドを用いたプロトコルを用いる。
【００２２】
Ｓ１１０において、ＡＰ２はＳＴＡ１に対してＲＴＳを送信し、ＳＴＡ１はＣＴＳコマンドを発効し、ＡＰ１を含むＳＴＡ１の周囲の無線ＬＡＮ機器にＡＰ２がＳＴＡ１にデータ送信するための時間を予約する。Ｓ１１２において、ＡＰ２はＳＴＡ１に印刷データを送信し、Ｓ１１３において、ＳＴＡ１は受信データ認識信号をＡＰ２へ返信する。印刷データがＣＴＳによる最大予約時間を上回る場合にはデータを分割してＳ１１０からＳ１１３の手順を繰り返す。Ｓ１１４において、ＡＰ２はＳＴＡ１に印刷データが終了したことを通知し、Ｓ１１５において、ＳＴＡ１はデータ終了認識信号をＡＰ２に返信する。Ｓ１１６において、ＳＴＡ１はＡＰ２との通信を切断し、Ｓ１１７以降において、ＡＰ１と接続を再開する。
【００２３】
次にＳＴＡ１がＡＰ１へ再接続する手順を図６のフローチャートを用いて詳細に説明する。Ｓ２００において、ＳＴＡ１はＡＰ１との接続を確立する（Ｓ１００−Ｓ１０３）。ＳＴＡ１にはＲＯＭ（２１０５）上に受信電界強度閾値（ＲＳＳＩｔｈ）が記憶されており、Ｓ２０１において、ＡＰ１以外にもＲＳＳＩｔｈを上回る受信信号があるかを判断する。そのような受信信号が存在する場合、Ｓ２０２において、ＳＴＡ１のＲＯＭ（２１０５）に予め登録された特定の識別情報を持つＡＰであるかどうかを調べる。
【００２４】
本実施例において、ビーコンに含まれるＢＳＳ−ＩＤが特定のＩＤであればそのＡＰを接続の対象とする。その特定ＩＤを持つ場合、Ｓ２０３において、ＳＴＡ１はＡＰ１のＢＳＳ−ＩＤと認証に必要な情報をＲＡＭ（２１０４）上に記憶し、Ｓ２０４において、ＳＴＡ１はＡＰ１との通信を切断し、Ｓ２０５において、ＳＴＡ１はＡＰ２との無線接続を確立する（Ｓ１０６−Ｓ１０９）。Ｓ２０６において、ＡＰ２がＳＴＡ１での印刷を開始する場合、Ｓ２０７において、ＡＰ２はＳＴＡ１の印刷データの量に応じてＲＴＳコマンドで帯域予約時間をＮＡＶ（Ｎｅｔｗｏｒｋ  Ａｌｌｏｃａｔｉｏｎ  Ｖｅｃｔｏｒ）でＳＴＡ１に送信し、ＳＴＡ１は周囲の無線ＬＡＮ機器にＣＴＳコマンドで帯域の使用時間を予約することで他の無線ＬＡＮ機器とのトラフィックの衝突を避ける。
【００２５】
Ｓ２０８において、ＡＰ２はＳＴＡ１に印刷データを送信し、Ｓ２０９において、ＡＰ２が帯域予約した時間が一回のＮＡＶ値で不足する場合にはＳ２０７から同様の手順を繰り返し、印刷終了の場合にはＳ２１０において、ＳＴＡ１はＡＰ２と通信を切断する。次にＳ２１１において、ＳＴＡ１はＲＡＭ  （２１０４）上に一時保存されている直前に接続していたＡＰ１のＢＳＳ−ＩＤと認証に必要な情報を取り出し、Ｓ２１２において、ＳＴＡ１はＡＰ１と再接続する。
【００２６】
（第二の実施例）
本実施例において、も、第一の実施例同様、使用する無線ＬＡＮのシステムは図１に同じであり、無線ＬＡＮ機器構成も図２から図４に同様である。本実施例において、ＳＴＡ１がＡＰ１に再接続する手順を図７のシーケンスチャートに示す。
【００２７】
本実施例では、第一の実施例とはＳＴＡ１がＡＰ１との通信切断と通信再接続のタイミングが異なる。Ｓ３００−Ｓ３０３の手順はＳ２００−Ｓ２０３の手順と同様である。Ｓ３０４において、ＲＳＳＩｔｈ以上のＡＰ２のビーコンにＳＴＡ１に登録されている特定ＩＤが含まれている場合、Ｓ３０５において、認証要求をＡＰ２に対して行う。Ｓ３０６において、ＡＰ２は認証返答を行い、ＳＴＡ１−ＡＰ２間の認証が確立する。ＳＴＡ１−ＡＰ２間の認証レベルの接続が確立した後、Ｓ３０７において、ＳＴＡ１はＡＰ１との接続を切断する。Ｓ３０８以降の手順はＳ１０８以降の手順と同様である。
【００２８】
本実施例ではＳＴＡ１がＡＰ２との接続を切断するＳ３１６の手順がＳ３１７の前になっているが、Ｓ３１６の手順をＳ３１８の後にすることでＳＴＡ１がＡＰ１との再接続を確立することもできる。
【００２９】
次にＳＴＡ１がＡＰ１へ再接続する手順を図８のフローチャートを用いて詳細に説明する。Ｓ４００−Ｓ４０３の手順はＳ２００−２０３の手順と同様である。Ｓ４０４において、ＳＴＡ１はＡＰ１との認証を先に確立する（Ｓ３０８−Ｓ３０９）。認証を確立した後、Ｓ４０５において、ＳＴＡ１はＡＰ１との通信を切断する。Ｓ４０６において、ＡＰ２はＳＴＡ１とのアソシエーションを確立し、データ送受信を行える状態になる（Ｓ３０８−Ｓ３０９）。Ｓ４０７において、ＡＰ２がＳＴＡ１での印刷を開始する場合、Ｓ４０８において、ＡＰ２はＳＴＡ１の印刷データの量に応じてＲＴＳ／ＣＴＳプロトコルを用いて他の無線ＬＡＮ機器とのトラフィックの衝突を避ける（Ｓ３１０−Ｓ３１１）。Ｓ４０９において、ＡＰ２はＳＴＡ１に印刷データを送信し、Ｓ４１０において、ＡＰ２が帯域予約した時間が一回のＮＡＶ値で不足する場合にはＳ４０８から同様の手順を繰り返し、印刷終了の場合にはＳ４１１において、ＳＴＡ１はＡＰ２と通信を切断する。次にＳ４１２において、ＳＴＡ１はＲＡＭ（２１０４）上に一時保存されている直前に接続していたＡＰ１のＢＳＳ−ＩＤと認証に必要な情報を取り出し、Ｓ４１３において、ＳＴＡ１はＡＰ１と再接続する。
【００３０】
（第三の実施例）
図９に本発明のシステム構成を示す。ＡＰ１（１１００）はＢＳＳ１（１００）を構成し、ＡＰ１はＢＳＳ１内にあるＳＴＡ１（１１００）とＳＴＡ２（２２００）とインフラストラクチャモードで無線通信接続をしている。本実施例において、ＳＴＡ１は無線ＬＡＮ機能を持つプリンタである。このようなＢＳＳ１が存在する場所にステーション機能を有するデジタルカメラＳＴＡ３（２３００）がＢＳＳ１に接近して来て、ＳＴＡ１はＳＴＡ３を認識するとＡＰ１との接続を一旦切断し、ＳＴＡ１とＳＴＡ３はＩＢＳＳ１（３００）を形成し、ＳＴＡ１はＡＰ２からのデータ受信を終えた後にＡＰ１へ再接続する。
【００３１】
次に各機器の構成について説明する。ＡＰ１（２１００）およびＳＴＡ１（２１００）は図１の機器構成と同様な機器を使用することができるのでＡＰ１とＳＴＡ１はそれぞれ図２と図４を流用する。ＳＴＡ３（２３００）において、も、無線ＬＡＮ通信装置でＳＴＡ機能を有する機器構成はＡＰ２と同様な機器構成によって実現できることから図３を流用する。
【００３２】
次にＳＴＡ１がＡＰ１へ再接続する手順について詳細に説明する。図１０にシーケンスチャートを示す。ＳＴＡ１がＡＰ１に無線接続する際のＳ５００−Ｓ５０３の手順は図５におけるＳ１００−Ｓ１０３の手順と同様である。ここまでの手順でＳＴＡ１はＡＰ１のＢＳＳ１内において、インフラストラクチャモードで通信可能な状態となる。次にＳＴＡ３がＳＴＡ１にアドホックモードで接続する手順について説明する。Ｓ５０４において、ＳＴＡ３は無線ＬＡＮで使用できる複数のチャネルの内一つを選択し、Ｓ５０５にてプローブ要求を出し、ＳＴＡ３のＳＳ−ＩＤをＳＴＡ１に伝える。
【００３３】
Ｓ５０６において、ＳＴＡ１は受信電界強度（ＲＳＳＩ）がある一定レベル以上のものを検知し、検知した受信信号がＳＴＡ１に登録されている特定のＳＳ−ＩＤを持つ場合にはプローブ応答を返し、Ｓ５０７において、ＳＴＡ３は使用するチャネルを決定する。ＳＴＡ３があるチャネル上でＳＴＡ１を発見できない場合には残りのチャネルに対してＳ５０４−５０７の手順を繰り返す。
【００３４】
Ｓ５０８において、ＳＴＡ１はＡＰ１との接続を切断する。Ｓ５０９以降ＳＴＡ１はＳＴＡ３との接続を開始してＩＢＳＳ１（３００）を形成する。Ｓ５０９において、ＳＴＡ１はＳＴＡ３に認証要求を行い、ＳＴＡ３で認証が行われれば、Ｓ５１０において、ＳＴＡ３はＳＴＡ１に認証応答を行う。Ｓ５１１−Ｓ５１９の印刷データの送信とデータ送信終了後の再接続手順はＳ１１０−Ｓ１１８と同様である。
【００３５】
次にＳＴＡ１がＡＰ１へ再接続する手順を図１１のフローチャートを用いて詳細に説明する。Ｓ６００の手順はＳ１００の手順と同様である。Ｓ６０１において、ＳＴＡ３は無線ＬＡＮで使用できるチャネルの内一つを選択し、ＳＴＡ１にプローブ要求を行う。Ｓ６０２において、ＳＴＡ１がＡＰ１以外にＲＳＳＩｔｈを上回る信号を受信した場合には、Ｓ６０３において、ＳＴＡ１はプローブ要求からＳＳ−ＩＤを取り出し、ＳＴＡ１に登録されているＳＳ−ＩＤであるかを判別する。Ｓ６０２、Ｓ６０３において、いずれも該当しない場合にはＳ６０４において、ＳＴＡ３はプローブ応答が期待される時間だけ待ち、Ｓ６０５において、ＳＴＡ３がすべてのチャネルのスキャンをしていないのならばＳ６０２から再び同様な手順でＳＴＡ１への接続を試みる。
【００３６】
Ｓ６０５において、ＳＴＡ３がＳＴＡ１を発見でいない場合は終了する。Ｓ６０３において、該当する場合、Ｓ６０６において、ＳＴＡ１のＢＳＳ−ＩＤをＲＡＭ（２１０４）上に記憶する。Ｓ６０７において、ＳＴＡ１はＳＴＡ３にプローブ応答を送信し、Ｓ６０８において、プローブ応答を受けたことから現在のチャネルにチャネルを決定する。Ｓ６０９において、ＳＴＡ１はＡＰ１との接続を切断する。
【００３７】
Ｓ６１０において、ＳＴＡ１はＡＰ１との認証を確立する（Ｓ５０９−Ｓ５１０）。認証確立後、Ｓ６１１において、ＳＴＡ３がＳＴＡ１を用いて印刷を行う場合、Ｓ６１２において、ＩＢＳＳ１（３００）はＲＴＳ／ＣＴＳプロトコルを用いてＢＳＳ１（１００）とのトラフィックの衝突を避ける。Ｓ６１３において、ＳＴＡ３はＳＴＡ１に印刷データを送信し、Ｓ６１４において、ＳＴＡ３が帯域予約した時間が一回のＮＡＶ値で不足する場合にはＳ６１２から同様の手順を繰り返し、印刷終了の場合には、Ｓ６１４において、ＳＴＡ１はＳＴＡ３と通信を切断する。
【００３８】
次にＳ６１６において、ＳＴＡ１はＲＡＭ（２１０４）上に一時保存されている直前に接続していたＡＰ１のＢＳＳ−ＩＤと認証に必要な情報を取り出し、Ｓ６１７において、ＳＴＡ１はＡＰ１と再接続する。
【図面の簡単な説明】
【００３９】
【図１】本発明の第一の実施例を示すシステム構成図である。
【図２】本発明の第一の実施例における無線ＬＡＮアクセスポイント（ＡＰ１）の構成例を示す図である。
【図３】本発明の第一の実施例における無線ＬＡＮデジタルカメラ（ＡＰ２）の構成例を示す図である。
【図４】本発明の第一の実施例における無線ＬＡＮプリンタ（ＳＴＡ１）の構成例を示す図である。
【図５】本発明の第一の実施例におけるシーケンスチャートである。
【図６】本発明の第一の実施例におけるフローチャートである。
【図７】本発明の第二の実施例におけるシーケンスチャートである。
【図８】本発明の第二の実施例におけるフローチャートである。
【図９】本発明の第三の実施例を示すシステム構成図である。
【図１０】本発明の第三の実施例におけるシーケンスチャートである。
【図１１】本発明の第三の実施例におけるフローチャートである。
【符号の説明】
【００４０】
１００  ＢＳＳ１
２００  ＢＳＳ２
１１００  ＡＰ１
１２００  デジタルカメラＡＰ２
２１００  ＳＴＡ１
２２００  ＳＴＡ２
【図１】
2006173708.tif 000003
【図２】
2006173708.tif 000004
【図３】
2006173708.tif 000005
【図４】
2006173708.tif 000006
【図５】
2006173708.tif 000007
【図６】
2006173708.tif 000008
【図７】
2006173708.tif 000009
【図８】
2006173708.tif 000010
【図９】
2006173708.tif 000011
【図１０】
2006173708.tif 000012
【図１１】
2006173708.tif 000013